(57)【要約】【課題】通信構造を提供することを課題とする。【解決手段】本発明は、移動通信設備に用いられる通信構造を開示する。該構造は、信号伝達モジュールと信号送受信モジュールと含み、該信号伝達モジュールが複数のアレイ状に並べたアンテナユニットを備え、該信号送受信モジュールが信号送受信ユニットと制御ユニットと電力制御ユニットとを含み、該信号送受信モジュールによってスペクトル信号を生成し、該スペクトル信号を移動通信設備に伝達した時、該移動通信設備が受信してフィードバック信号を伝達し、該フィードバック信号が該信号伝達モジュールによって受信された後、該信号送受信ユニットがフィードバック信号を該制御ユニットに生成し、該制御ユニットによって該フィードバック信号を識別した後、該対応のアレイ状に並べたアンテナユニットを制御することで、通信品質を向上する目的を達成する。【選択図】図２
2019009711.tif 000002
【特許請求の範囲】
【請求項１】
移動通信設備と通信するために用いられる送受信システムであり、前記システムは、
複数のアレイ状に並べたアンテナユニットを備える信号伝達モジュールと、
信号送受信ユニットと制御ユニットと電力制御ユニットとを含み、前記制御ユニットによって駆動信号を前記電力制御ユニットに生成し、前記電力制御ユニットが前記駆動信号を受信して電圧を前記信号送受信ユニットに生成し、前記信号送受信ユニットが対応のスペクトル信号を生成し、該信号伝達モジュールによって前記スペクトル信号を伝達し、前記スペクトル信号を移動通信設備に伝達した時、前記移動通信設備が受信してフィードバック信号を伝達し、前記フィードバック信号が前記信号伝達モジュールによって受信された後、前記フィードバック信号を前記信号送受信ユニットに伝達し、前記信号送受信ユニットがフィードバック信号を前記制御ユニットに生成し、前記制御ユニットによって前記フィードバック信号を識別した後、制御信号を前記信号伝達モジュールに生成し、前記制御信号を通じて前記対応のアレイ状に並べたアンテナユニットを制御することで、通信品質を向上する目的を達成する信号送受信モジュールと、
を含むことを特徴とする通信構造。
【請求項２】
前記信号伝達モジュールは、アレイアンテナ、フェーズドアレイアンテナ及びディッシュアンテナのうちの１種であることを特徴とする請求項１に記載の通信構造。
【請求項３】
前記スペクトル信号源は、高周波信号であることを特徴とする請求項１に記載の通信構造。
【請求項４】
前記スペクトル信号源は、中周波信号であることを特徴とする請求項１に記載の通信構造。
【請求項５】
前記スペクトル信号源は、低周波信号であることを特徴とする請求項１に記載の通信構造。
【請求項６】
前記信号送受信モジュールは、コントロールチップであることを特徴とする請求項１に記載の通信構造。
【請求項７】
前記移動通信設備は、スマートフォン、ナビゲーションシステム、タブレット型コンピュータのうちの１種であることを特徴とする請求項１に記載の通信構造。
【請求項８】
前記電力制御ユニットは、複数の電源信号を生成して電力を前記通信構造の使用に供給するために用いられ、前記電源信号が第１電源信号と第２電源信号とを含み、前記第１電源信号の出力電圧、電流が各々＋７Ｖ、９Ａで、前記第２電源信号の出力電圧、電流が各々−７Ｖ、３００ｍＡとすることを特徴とする請求項１に記載の通信構造。
【請求項９】
前記信号送受信モジュールは、放熱構造を更に含むことを特徴とする請求項１に記載の通信構造。
【発明の詳細な説明】
【技術分野】
【０００１】
本発明は、通信構造に関し、特に、移動通信設備と通信するために用いられる通信構造に関する。
【背景技術】
【０００２】
通信技術の発展につれ、データサービスに対する需要は絶え間なく増加し、通信業者に無線システムへの研究を刺激するため、無線システム業者は如何にして帯域幅及びより高い搬送波周波数を高めるかに向けて絶え間なく研究し、例えば第５世代（５Ｇ）無線アクセスは、通常微小細胞、超微細細胞又は都會細胞タイプのレイアウトにおける１秒あたりマルチギガビット（Ｍｕｌｔｉ−Ｇｂｐｓ）データ速度を提供するため、ミリ波（ｍｉｌｌｉｍｅｔｅｒ−ｗａｖｅｓ、ｍｍ−ｗａｖｅｓと略称）周波数が含まれる。自由空間伝搬損失又はパスロス（ｐａｔｈ  ｌｏｓｓ）比較的高い周波数の時に増加し、なおアンテナ指向性（ａｎｔｅｎｎａ  ｄｉｒｅｃｔｉｖｉｔｙ）を利用して該パスロスを補償できる。高いゲインのアダプティブビームフォーミング（Ｂｅａｍ  Ｆｏｒｍｉｎｇ、ＢＦ）ソリューションで上記パスロス補償を実現できる。アナログカメラ又は例えば各アンテナに設けられたフルデジタル送信／受信パス等のフルデジタル送信／受信パスを利用して一組のアンテナ等に接続させる混合デジタル／アナログソリューションを利用してアダプティブビームステアリング（ｂｅａｍ  ｓｔｅｅｒｉｎｇ）を実現できる。基地局のアンテナアレイは、例えば８、１６、３２、６４又は更に多くのアンテナ素子（例えは小型ホーンアンテナ）を含むことができる。
【０００３】
現在従来の無線システムで使用する周波数より高い例えば１１−３００ＧＨｚミリ波（ｍｉｌｌｉｍｅｔｅｒ−ｗａｖｅ）は、マイクロ波と光波の間にある電磁波で、通常ミリ波周波数帯域とは３０〜３００ＧＨｚをいい、対応波長が１〜１０ｍｍとする。ミリ波は、比較的広い周波数帯域を提供できる。情報量が急増し、伝達データ流通量も日増しに増加し、次世代４Ｇ（Ｂｅｙｏｎｄ  ４Ｇ、Ｂ４Ｇ）の伝達データ流通量は２０２０年に１０００倍増え、２０２５年に１０，０００倍に達する。ミリ波（Ｍｉｌｌｉｍｅｔｅｒ  Ｗａｖｅ、Ｍｍ−ｗａｖｅ）スペクトル帯域の伝送技術は、すでに高いデータ流通量の伝送能力を持つ重要な通信技術の１つと見なし、次世代４Ｇ、更に第５世代（５Ｇ）通信技術の発展上において極めて重要な役割を担っている。
【０００４】
特許文献１は、無線インターフェース通信を利用した方法及びシステムに関するものである。本文の記載：ビーム身元情報を第１局が提供する複数のビーム上で発射した信号に含まれ；第２局上で該第１局から発射した信号を受信し；及び該身元情報に基づいて該第２局で受信した信号が経由するビームを識別する。そしてこれら局の間に該無線インターフェース伝送を利用した少なくとも１つのビームを選択する。該通信に向けて配置する局は、複数のビーム上で別の局から発射した信号を受信するために用いられるアンテナ装置と、該別の局が受信した信号と関連するビーム身元情報に基づいてビームを識別するコントローラと、を含む。
【先行技術文献】
【特許文献】
【０００５】
【特許文献１】文書ＵＳ２００４／０２１４６０６  Ａｌ
【発明の概要】
【発明が解決しようとする課題】
【０００６】
本発明の主な目的は、移動通信設備のフィードバック信号を利用して制御信号を生成し、従って該通信構造の対応のアレイ状に並べたアンテナユニットを制御することで、該移動通信設備と該通信構造の間の通信品質を向上する目的を達成する通信構造を提供することである。
【課題を解決するための手段】
【０００７】
上記目的及びその他の目的を達成するため、本発明は通信構造を提出し、該構造は、信号伝達モジュールと信号送受信モジュールと含む。該信号伝達モジュールは、複数のアレイ状に並べたアンテナユニットを備える。該信号送受信モジュールは、信号送受信ユニットと制御ユニットと電力制御ユニットとを含む。該制御ユニットは、駆動信号を該電力制御ユニットに生成し、該電力制御ユニットが電圧を該信号送受信ユニットに生成し、該信号送受信ユニットが対応のスペクトル信号を生成し、該信号伝達モジュールによって該スペクトル信号を伝達し、該スペクトル信号を移動通信設備に伝達した時、該移動通信設備が受信してフィードバック信号を伝達し、該フィードバック信号が該信号伝達モジュールによって受信された後、該フィードバック信号を信号送受信ユニットに伝達し、該信号送受信ユニットがフィードバック信号を該制御ユニットに生成し、該制御ユニットによって該フィードバック信号を識別した後、制御信号を該信号伝達モジュールに生成し、該制御信号を通じて該対応のアレイ状に並べたアンテナユニットを制御することで、通信品質を向上する目的を達成する。
【図面の簡単な説明】
【０００８】
【図１】通信システムを示す模式図である。
【図２】通信構造を示す模式図である。
【発明を実施するための形態】
【０００９】
以下、特定の具体的実例を通じて本発明の実施形態を説明し、当業者は本明細書に開示されている内容から本発明の利点及び効果を容易に理解できる。
【００１０】
まず図１を参照すると、本発明の一実施例に係る通信システムを示す模式図である。
【００１１】
図１、図２に示すように、通信構造２は、移動通信設備１と通信するために用いられる送受信構造であり、移動通信設備１がスマートフォン、ナビゲーションシステム、タブレット型コンピュータのうちの１種である。該構造は、信号伝達モジュール２１と信号送受信モジュール２２とを含む。該信号伝達モジュール２１は、複数のアレイ状に並べたアンテナユニットを備え；例を挙げて説明すると、該アンテナユニットはアレイアンテナ、フェーズドアレイアンテナ及びディッシュアンテナのうちの１種である。該信号送受信モジュール２２は、信号送受信ユニット２２１と制御ユニット２２２と電力制御ユニット２２３とを含む。
【００１２】
本実施例において、信号送受信モジュール２２は、移動通信設備１のフィードバック信号を利用して制御信号を生成し、従って該信号伝達モジュール２１の対応のアレイ状に並べたアンテナユニットを制御することで、該移動通信設備１と該通信構造２の間の通信品質を向上する。該信号送受信モジュール２２は、該制御ユニット２２２によって駆動信号を該電力制御ユニット２２３に生成する。該電力制御ユニット２２３は、該駆動信号を受信して電圧を該信号送受信ユニット２２１に生成する。該信号送受信ユニット２２１は、対応のスペクトル信号を生成し、また該信号伝達モジュール２１によって該スペクトル信号を伝達し、該スペクトル信号源が高周波信号、中周波信号及び低周波信号のうちの１種である。該スペクトル信号を移動通信設備１に伝達した時、該移動通信設備１は受信してフィードバック信号を伝達し、該フィードバック信号が該信号伝達モジュール２１によって受信された後、該信号伝達モジュール２１が該フィードバック信号を信号送受信ユニット２２１に伝達する。該信号送受信ユニット２２１は、フィードバック信号を該制御ユニット２２２に伝達し、該制御ユニット２２２が該フィードバック信号を識別した後、制御信号を該信号伝達モジュール２１に生成する。これを介して該信号送受信モジュール２２は、該制御信号を通じて該信号伝達モジュール２１の対応のアレイ状に並べたアンテナユニットを制御することで、該移動通信設備１と該通信構造２の間の通信品質を向上する。
【００１３】
例を挙げて説明すると、該通信構造２の信号伝達モジュール２１は、フェーズドアレイアンテナアレイを利用して信号の伝送及び受信を行うことができ、信号送信側実体を縮小させると、更に多くの信号発射側及び受信側を収容できる。
【００１４】
例を挙げて説明すると、コントロールチップを利用して該信号送受信モジュール２２を実現でき、コントロールチップはマイクロプロセッサ、マイクロコントローラ、デジタル信号プロセッサ又は単一チップ或いは専属の制御回路とすることができる。また、該信号送受信モジュール２２も放熱構造を更に含むことができる。
【００１５】
例を挙げて説明すると、該電力制御ユニット２２３は、複数の電源信号を生成して電力を少なくとも１つの該信号伝達モジュール２２内部の使用（例えば信号送受信モジュール２２）又は該通信構造２の使用に供給するために用いられる。例えば、これら電源信号は、第１電源信号と第２電源信号とを含み、該第１電源信号の出力電圧、電流が各々＋７Ｖ、９Ａで、該第２電源信号の出力電圧、電流が各々−７Ｖ、３００ｍＡとする。しかし、本発明の実現形態は、上記例の数値に限られるものではなく；通信構造２の回路実装における需要を見て該電力制御ユニット２２３を所要の電源信号を生成できるよう実現できる。また、例を挙げて説明すると、電源管理のニーズに合わせるため、更に該電力制御ユニット２２３を入力の駆動信号に応答して対応の電源信号を出力する作用を有するよう実現できる。
【００１６】
以下、例を挙げて通信構造２の各種応用を説明する。
【００１７】
一実施例において、通信構造２は、基地局として配置され、該基地局が移動通信設備と通信するために用いられ、本実施例が適用できるいかなる通信システム内に応用できる。移動通信設備と該通信構造２の間の通信品質を向上させるため、該通信構造２は該信号伝達モジュール２１及び該信号送受信モジュール２２を通じて該通信構造２の信号カバー範囲内に少なくとも１つの移動通信設備があるかどうかを検出する。該通信構造２は、少なくとも１つの移動通信設備を検出できる場合、該通信構造２のこれらアンテナユニットを制御してこれらアンテナユニットに該基地局と該少なくとも１つの移動通信設備の間の通信品質を向上させるパターンを持たせる。
【００１８】
通信構造２を基地局として配置した上記実施例は、更に第４世代モバイル通信（４Ｇ）システム又は次世代モバイル通信システム、例えば第５世代モバイル通信（５Ｇ）システム内に応用できる。これを介して、該通信構造２は、更に効率的に通信資源（例えば帯域幅、電力）を該少なくとも１つの移動通信設備に分配することで、各種通信サービスの信号送受信を行い、例えば音声、画像、動画或いはその他のデータを送受信する。
【００１９】
４Ｇ又は５Ｇ技術に基づくモバイル通信システムに応用された実施例において、基地局として配置された通信構造２は、該信号伝達モジュール２１及び該信号送受信モジュール２２を通じて該通信構造２の信号カバー範囲内に少なくとも１つの移動通信設備があるかどうかを検出でき、例えば４Ｇ又は５Ｇに基づく技術と互換性がある移動通信設備の有無を検出し、従ってアンテナユニットと一緒に制御する。
【００２０】
検出を行うため、該信号送受信モジュール２２は、該制御ユニット２２２によって駆動信号を該電力制御ユニット２２３に生成する。該電力制御ユニット２２３は、該駆動信号を受信して電圧を該信号送受信ユニット２２１に生成することで、該信号送受信ユニット２２１を駆動し、例えば該信号送受信ユニット２２１を起動させ、又は低電力操作モードから正常な動作モードに戻る。該信号送受信ユニット２２１は、対応のスペクトル信号を生成し、なお該信号伝達モジュール２１によって該スペクトル信号を伝達し、該スペクトル信号が高周波信号、中周波信号及び低周波信号のうちの１種である。例を挙げて説明すると、スペクトル信号は、移動通信設備を検出（又は測位）するために用いられる信号で、スペクトル信号を基地局識別データ、テストリクエスト、測位リクエスト或いはテスト情報を有するいかなる形として実現でき；こうして該移動通信設備１は該スペクトル信号を受信した後、該スペクトル信号が基地局の検出（又は測位）用の信号として識別して基地局が得たいフィードバック信号を生成させる。しかし、本発明の実現は、このスペクトル信号の例に限られるものではない。
【００２１】
該スペクトル信号を移動通信設備１に伝達した時、該移動通信設備１が受信してフィードバック信号を伝達する。例を挙げて説明すると、フィードバック信号を該移動信号設備１の識別情報、テスト結果、測位結果又はその他の情報を有するいかなる形として実現でき、例えば該フィードバック信号は該移動信号設備１が該スペクトル信号を受信した後で記録した該基地局の該移動信号設備１に対する信号強度を有することができ；こうして該基地局は該フィードバック信号を受信した後、該フィードバック信号が移動信号設備からフィードバックされた信号であることを識別して応用させることができる。しかし、本発明の実現は、このフィードバック信号の例に限られるものではない。
【００２２】
該フィードバック信号を該信号伝達モジュール２１によって受信された後、該信号伝達モジュール２１は、該フィードバック信号を信号送受信ユニット２２１に伝達する。該信号送受信ユニット２２１は、フィードバック信号を該制御ユニット２２２に生成する。該制御ユニット２２２は、該フィードバック信号を識別した後、該基地局の信号カバー範囲内に４Ｇ又は５Ｇに基づく技術と互換性がある少なくとも１つの移動通信設備があることを確認できる。よって、該制御ユニット２２２は、制御信号を該信号伝達モジュール２１に生成する。例を挙げて説明すると、該フィードバック信号は、該移動信号設備１の識別情報、テスト結果、測位結果又はその他の情報を有するものとして実現するため、該制御ユニット２２２が該フィードバック信号に基づくと共にビームフォーミング（ｂｅａｍｆｏｒｍｉｎｇ）技術を利用して該制御信号を生成することで、これらアンテナユニットの位相、振幅等のパラメータ内の少なくとも１つを制御でき、これらアンテナユニットに該基地局と該少なくとも１つの移動通信設備１の間の通信品質を向上させるパターンを持たせる。
【００２３】
これを介して、この４Ｇ又は５Ｇに基づく技術に応用したモバイル通信システムの実施例において、該信号送受信モジュール２２は該制御信号によって該信号伝達モジュール２１の対応のアレイ状に並べたアンテナユニットを制御することで、該移動通信設備１と基地局として配置された通信構造２の間の通信品質を向上する。
【００２４】
また、上記実施例において、更に該モバイル通信システムに必要がある時、又は某種条件（例えば基地局のスタートアップ、リセット或いはその他の基地局のリクエスト）のトリガー下若しくはその他の状態（例えば通信品質を校正、改善するため）下で検出を実施するよう実現できる。しかし，本発明の実現は、この例に限られるものではなく、その他の状況下で応用できることが勿論である。
【００２５】
以上に述べた実施例は、あくまでも本発明の特徴及び効果を明らかにするものであって、本発明の実質的な技術内容を限定することはなく、当業者が本発明の精神から逸脱することなく上記実施例を改良と変形できる。よって、本発明の保護範囲は、後記の特許請求の範囲に記載されている通りとする。
【符号の説明】
【００２６】
１    移動通信設備
２    通信構造
２１    信号伝達モジュール
２２    信号送受信モジュール
２２１  信号送受信ユニット
２２２  制御ユニット
２２３  電力制御ユニット
【図１】
2019009711.tif 000003
【図２】
2019009711.tif 000004
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
移動通信設備と通信するために用いられる送受信システムであり、前記システムは、
複数のアレイ状に並べたアンテナユニットを備える信号伝達モジュールと、
信号送受信ユニットと制御ユニットと電力制御ユニットとを含み、前記制御ユニットによって駆動信号を前記電力制御ユニットに生成し、前記電力制御ユニットが前記駆動信号を受信して電圧を前記信号送受信ユニットに生成し、前記信号送受信ユニットが対応のスペクトル信号を生成し、該信号伝達モジュールによって前記スペクトル信号を伝達し、前記スペクトル信号を移動通信設備に伝達した時、前記移動通信設備が受信してフィードバック信号を伝達し、前記フィードバック信号が前記信号伝達モジュールによって受信された後、前記フィードバック信号を前記信号送受信ユニットに伝達し、前記信号送受信ユニットがフィードバック信号を前記制御ユニットに生成し、前記制御ユニットによって前記フィードバック信号を識別した後、制御信号を前記信号伝達モジュールに生成し、前記制御信号を通じて前記対応のアレイ状に並べたアンテナユニットを制御することで、通信品質を向上する目的を達成する信号送受信モジュールと、
を含み、
前記電力制御ユニットは、複数の電源信号を生成して電力を前記送受信システムの使用に供給するために用いられ、前記電源信号が第１電源信号と第２電源信号とを含み、前記第１電源信号の出力電圧、電流が各々＋７Ｖ、９Ａで、前記第２電源信号の出力電圧、電流が各々−７Ｖ、３００ｍＡとすることを特徴とする送受信システム。
【請求項２】
前記信号伝達モジュールは、アレイアンテナ、フェーズドアレイアンテナ及びディッシュアンテナのうちの１種であることを特徴とする請求項１に記載の送受信システム。
【請求項３】
前記スペクトル信号は、高周波信号であることを特徴とする請求項１に記載の送受信システム。
【請求項４】
前記スペクトル信号は、中周波信号であることを特徴とする請求項１に記載の送受信システム。
【請求項５】
前記スペクトル信号は、低周波信号であることを特徴とする請求項１に記載の送受信システム。
【請求項６】
前記信号送受信モジュールは、コントロールチップであることを特徴とする請求項１に記載の送受信システム。
【請求項７】
前記移動通信設備は、スマートフォン、ナビゲーションシステム、タブレット型コンピュータのうちの１種であることを特徴とする請求項１に記載の送受信システム。
【請求項８】
前記信号送受信モジュールは、放熱構造を更に含むことを特徴とする請求項１に記載の送受信システム。
【手続補正３】
【補正対象書類名】明細書
【補正対象項目名】０００１
【補正方法】変更
【補正の内容】
【０００１】
本発明は、送受信システムに関し、特に、移動通信設備と通信するために用いられる送受信システムに関する。
【手続補正４】
【補正対象書類名】明細書
【補正対象項目名】０００６
【補正方法】変更
【補正の内容】
【０００６】
本発明の主な目的は、移動通信設備のフィードバック信号を利用して制御信号を生成し、従って該送受信システムの対応のアレイ状に並べたアンテナユニットを制御することで、該移動通信設備と該送受信システムの間の通信品質を向上する目的を達成する送受信システムを提供することである。
【手続補正５】
【補正対象書類名】明細書
【補正対象項目名】０００７
【補正方法】変更
【補正の内容】
【０００７】
上記目的及びその他の目的を達成するため、本発明は送受信システムを提出し、該構造は、信号伝達モジュールと信号送受信モジュールと含む。該信号伝達モジュールは、複数のアレイ状に並べたアンテナユニットを備える。該信号送受信モジュールは、信号送受信ユニットと制御ユニットと電力制御ユニットとを含む。該制御ユニットは、駆動信号を該電力制御ユニットに生成し、該電力制御ユニットが電圧を該信号送受信ユニットに生成し、該信号送受信ユニットが対応のスペクトル信号を生成し、該信号伝達モジュールによって該スペクトル信号を伝達し、該スペクトル信号を移動通信設備に伝達した時、該移動通信設備が受信してフィードバック信号を伝達し、該フィードバック信号が該信号伝達モジュールによって受信された後、該フィードバック信号を信号送受信ユニットに伝達し、該信号送受信ユニットがフィードバック信号を該制御ユニットに生成し、該制御ユニットによって該フィードバック信号を識別した後、制御信号を該信号伝達モジュールに生成し、該制御信号を通じて該対応のアレイ状に並べたアンテナユニットを制御することで、通信品質を向上する目的を達成する。
【手続補正６】
【補正対象書類名】明細書
【補正対象項目名】０００８
【補正方法】変更
【補正の内容】
【０００８】
【図１】通信システムを示す模式図である。
【図２】送受信システムを示す模式図である。
【手続補正７】
【補正対象書類名】明細書
【補正対象項目名】００１１
【補正方法】変更
【補正の内容】
【００１１】
図１、図２に示すように、送受信システム２は、移動通信設備１と通信するために用いられる送受信構造であり、移動通信設備１がスマートフォン、ナビゲーションシステム、タブレット型コンピュータのうちの１種である。該構造は、信号伝達モジュール２１と信号送受信モジュール２２とを含む。該信号伝達モジュール２１は、複数のアレイ状に並べたアンテナユニットを備え；例を挙げて説明すると、該アンテナユニットはアレイアンテナ、フェーズドアレイアンテナ及びディッシュアンテナのうちの１種である。該信号送受信モジュール２２は、信号送受信ユニット２２１と制御ユニット２２２と電力制御ユニット２２３とを含む。
【手続補正８】
【補正対象書類名】明細書
【補正対象項目名】００１２
【補正方法】変更
【補正の内容】
【００１２】
本実施例において、信号送受信モジュール２２は、移動通信設備１のフィードバック信号を利用して制御信号を生成し、従って該信号伝達モジュール２１の対応のアレイ状に並べたアンテナユニットを制御することで、該移動通信設備１と該送受信システム２の間の通信品質を向上する。該信号送受信モジュール２２は、該制御ユニット２２２によって駆動信号を該電力制御ユニット２２３に生成する。該電力制御ユニット２２３は、該駆動信号を受信して電圧を該信号送受信ユニット２２１に生成する。該信号送受信ユニット２２１は、対応のスペクトル信号を生成し、また該信号伝達モジュール２１によって該スペクトル信号を伝達し、該スペクトル信号が高周波信号、中周波信号及び低周波信号のうちの１種である。該スペクトル信号を移動通信設備１に伝達した時、該移動通信設備１は受信してフィードバック信号を伝達し、該フィードバック信号が該信号伝達モジュール２１によって受信された後、該信号伝達モジュール２１が該フィードバック信号を信号送受信ユニット２２１に伝達する。該信号送受信ユニット２２１は、フィードバック信号を該制御ユニット２２２に伝達し、該制御ユニット２２２が該フィードバック信号を識別した後、制御信号を該信号伝達モジュール２１に生成する。これを介して該信号送受信モジュール２２は、該制御信号を通じて該信号伝達モジュール２１の対応のアレイ状に並べたアンテナユニットを制御することで、該移動通信設備１と該送受信システム２の間の通信品質を向上する。
【手続補正９】
【補正対象書類名】明細書
【補正対象項目名】００１３
【補正方法】変更
【補正の内容】
【００１３】
例を挙げて説明すると、該送受信システム２の信号伝達モジュール２１は、フェーズドアレイアンテナアレイを利用して信号の伝送及び受信を行うことができ、信号送信側実体を縮小させると、更に多くの信号発射側及び受信側を収容できる。
【手続補正１０】
【補正対象書類名】明細書
【補正対象項目名】００１５
【補正方法】変更
【補正の内容】
【００１５】
例を挙げて説明すると、該電力制御ユニット２２３は、複数の電源信号を生成して電力を少なくとも１つの該信号伝達モジュール２２内部の使用（例えば信号送受信モジュール２２）又は該送受信システム２の使用に供給するために用いられる。例えば、これら電源信号は、第１電源信号と第２電源信号とを含み、該第１電源信号の出力電圧、電流が各々＋７Ｖ、９Ａで、該第２電源信号の出力電圧、電流が各々−７Ｖ、３００ｍＡとする。しかし、本発明の実現形態は、上記例の数値に限られるものではなく；送受信システム２の回路実装における需要を見て該電力制御ユニット２２３を所要の電源信号を生成できるよう実現できる。また、例を挙げて説明すると、電源管理のニーズに合わせるため、更に該電力制御ユニット２２３を入力の駆動信号に応答して対応の電源信号を出力する作用を有するよう実現できる。
【手続補正１１】
【補正対象書類名】明細書
【補正対象項目名】００１６
【補正方法】変更
【補正の内容】
【００１６】
以下、例を挙げて送受信システム２の各種応用を説明する。
【手続補正１２】
【補正対象書類名】明細書
【補正対象項目名】００１７
【補正方法】変更
【補正の内容】
【００１７】
一実施例において、送受信システム２は、基地局として配置され、該基地局が移動通信設備と通信するために用いられ、本実施例が適用できるいかなる通信システム内に応用できる。移動通信設備と該送受信システム２の間の通信品質を向上させるため、該送受信システム２は該信号伝達モジュール２１及び該信号送受信モジュール２２を通じて該送受信システム２の信号カバー範囲内に少なくとも１つの移動通信設備があるかどうかを検出する。該送受信システム２は、少なくとも１つの移動通信設備を検出できる場合、該送受信システム２のこれらアンテナユニットを制御してこれらアンテナユニットに該基地局と該少なくとも１つの移動通信設備の間の通信品質を向上させるパターンを持たせる。
【手続補正１３】
【補正対象書類名】明細書
【補正対象項目名】００１８
【補正方法】変更
【補正の内容】
【００１８】
送受信システム２を基地局として配置した上記実施例は、更に第４世代モバイル通信（４Ｇ）システム又は次世代モバイル通信システム、例えば第５世代モバイル通信（５Ｇ）システム内に応用できる。これを介して、該送受信システム２は、更に効率的に通信資源（例えば帯域幅、電力）を該少なくとも１つの移動通信設備に分配することで、各種通信サービスの信号送受信を行い、例えば音声、画像、動画或いはその他のデータを送受信する。
【手続補正１４】
【補正対象書類名】明細書
【補正対象項目名】００１９
【補正方法】変更
【補正の内容】
【００１９】
４Ｇ又は５Ｇ技術に基づくモバイル通信システムに応用された実施例において、基地局として配置された送受信システム２は、該信号伝達モジュール２１及び該信号送受信モジュール２２を通じて該送受信システム２の信号カバー範囲内に少なくとも１つの移動通信設備があるかどうかを検出でき、例えば４Ｇ又は５Ｇに基づく技術と互換性がある移動通信設備の有無を検出し、従ってアンテナユニットと一緒に制御する。
【手続補正１５】
【補正対象書類名】明細書
【補正対象項目名】００２３
【補正方法】変更
【補正の内容】
【００２３】
これを介して、この４Ｇ又は５Ｇに基づく技術に応用したモバイル通信システムの実施例において、該信号送受信モジュール２２は該制御信号によって該信号伝達モジュール２１の対応のアレイ状に並べたアンテナユニットを制御することで、該移動通信設備１と基地局として配置された送受信システム２の間の通信品質を向上する。
【手続補正１６】
【補正対象書類名】明細書
【補正対象項目名】００２６
【補正方法】変更
【補正の内容】
【００２６】
１    移動通信設備
２    送受信システム
２１    信号伝達モジュール
２２    信号送受信モジュール
２２１  信号送受信ユニット
２２２  制御ユニット
２２３  電力制御ユニット